(57)【要約】【課題】大型のポンプを用いることなく洗浄タンク内の洗浄水を効率的に強制排水することができる洗浄機を提供する。【解決手段】洗浄室２内において洗浄水を噴射する洗浄ノズル２０、２２と、すすぎ水を噴射するすすぎノズル２１、２３と、洗浄室２内下方にて開口し、洗浄水を貯溜し、上方からの洗浄水等を受容する洗浄タンク９と、すすぎ水を貯溜するすすぎタンク２５と、洗浄タンク９内の洗浄水を洗浄ノズルに送給する洗浄ポンプ２７と、すすぎタンク２５内のすすぎ水をすすぎノズルに送給するすすぎポンプ２９と、洗浄タンク９内の洗浄水を強制的に排出する排水ポンプ４２と、各ポンプの運転を制御する制御装置６０とを備え、制御装置６０は、すすぎポンプ２９を運転してすすぎ工程を実行し、該すすぎポンプ２９の運転に伴って排水ポンプ４２を、すすぎポンプ２９よりも長く運転する。【選択図】      図１
2004298347.tif 000002
【特許請求の範囲】
【請求項１】
本体内に構成された洗浄室内において洗浄水を食器などの被洗浄物に噴射して洗浄する洗浄ノズルと、前記洗浄室内においてすすぎ水を前記被洗浄物に噴射してすすぎを行うすすぎノズルと、前記洗浄室内下方にて開口し、前記洗浄水を貯溜すると共に、前記洗浄ノズルから噴射された洗浄水及び前記すすぎノズルから噴射されたすすぎ水を受容する洗浄タンクと、前記すすぎ水を貯溜するすすぎタンクと、前記洗浄タンク内の洗浄水を前記洗浄ノズルに送給する洗浄ポンプと、前記すすぎタンク内のすすぎ水を前記すすぎノズルに送給するすすぎポンプと、前記洗浄タンク内の洗浄水を強制的に排出する排水ポンプと、前記各ポンプの運転を制御する制御手段とを備えた洗浄機において、
前記制御手段は、洗浄運転時に前記洗浄ポンプを運転して洗浄工程を実行し、前記すすぎポンプを運転してすすぎ工程を実行すると共に、該すすぎポンプの運転に伴って前記排水ポンプを、前記すすぎポンプよりも長く運転することを特徴とする洗浄機。
【請求項２】
前記制御手段は、前記すすぎ工程において前記すすぎポンプの運転開始より遅延して前記排水ポンプの運転を開始することを特徴とする請求項１の洗浄機。
【請求項３】
前記すすぎポンプの運転時間は可変とされており、前記制御手段は、当該すすぎポンプの運転時間に応じて前記排水ポンプの運転時間を変更することを特徴とする請求項１又は請求項２の洗浄機。
【請求項４】
前記制御手段は、前記排水ポンプのみが運転されている状態において、前記洗浄工程が開始された場合には、当該排水ポンプを停止することを特徴とする請求項１、請求項２又は請求項３の洗浄機。
【請求項５】
前記制御手段は、前記すすぎポンプを運転して前記洗浄タンク内に給湯する給湯運転を所定回数実行すると共に、該給湯運転中に前記排水ポンプを運転することを特徴とする請求項１、請求項２、請求項３又は請求項４の洗浄機。
【請求項６】
前記制御手段は、前記給湯運転を実行する回数が終了する所定回数前から前記排水ポンプを運転することを特徴とする請求項５の洗浄機。
【請求項７】
前記制御手段は、最終回の前記給湯運転終了後の所定時間前記排水ポンプの運転を継続すると共に、当該排水ポンプの運転終了後に前記洗浄ポンプを運転することを特徴とする請求項６の洗浄機。
【請求項８】
前記洗浄タンク内の洗浄水の溢出を防止するための溢れ防止センサを備え、前記制御手段は、前記溢れ防止センサの出力に基づき、前記洗浄タンク内の水位が所定値より上昇した場合には、前記排水ポンプを運転することを特徴とする請求項１、請求項２、請求項３、請求項４、請求項５、請求項６又は請求項７の洗浄機。
【請求項９】
前記制御手段は、前記排水ポンプを運転している場合、前記すすぎポンプの運転を禁止することを特徴とする請求項８の洗浄機。
【請求項１０】
前記制御手段は、前記すすぎポンプの運転が禁止されている場合、前記洗浄工程への移行を禁止することを特徴とする請求項９の洗浄機。
【請求項１１】
前記制御手段は電源スイッチを備え、前記溢れ防止センサの出力に基づき、前記洗浄タンク内の水位が所定値より上昇した場合には、前記電源スイッチがＯＦＦされている場合にも、前記排水ポンプを運転することを特徴とする請求項８、請求項９又は請求項１０の洗浄機。
【請求項１２】
前記制御手段は、前記排水ポンプを運転して前記洗浄タンク内の洗浄水を排出する排水運転を実行すると共に、当該排水ポンプの運転時間は可変とされていることを特徴とする請求項１、請求項２、請求項３、請求項４、請求項５、請求項６、請求項７、請求項８、請求項９、請求項１０又は請求項１１の洗浄機。
【請求項１３】
前記制御手段は、前記排水運転中に前記すすぎポンプを運転することを特徴とする請求項１２の洗浄機。
【請求項１４】
前記制御手段は、前記排水運転の開始から前記排水ポンプを運転した後、当該排水ポンプを停止して所定時間前記すすぎポンプを運転すると共に、当該すすぎポンプの停止後、該すすぎポンプの運転時間よりも長く再度前記排水ポンプを運転することを特徴とする請求項１３の洗浄機。
【請求項１５】
前記制御手段は電源スイッチを備え、当該電源スイッチがＯＦＦされても前記排水ポンプの運転を実行することを特徴とする請求項１２、請求項１３又は請求項１４の洗浄機。
【請求項１６】
前記制御手段は、前記電源スイッチがＯＦＦされている状態からＯＮされた場合には、前記排水ポンプを停止することを特徴とする請求項１５の洗浄機。
【発明の詳細な説明】
【０００１】
【発明の属する技術分野】
本発明は、本体内に構成された洗浄室内において、食器などの被洗浄物の洗浄とすすぎを行う洗浄機に関するものであり、特に、洗浄タンクに貯溜された洗浄水やすすぎ水などを強制的に排水する排水機構を備えた洗浄機に関するものである。
【０００２】
【従来の技術】
従来よりホテルやレストラン、食堂の厨房などに設置される食器洗浄機は、洗浄室内の上下に洗浄ノズルとすすぎノズルを配置し、洗浄工程においては、洗浄ポンプにより洗浄タンク内に貯溜した洗浄水を前記洗浄ノズルに給送して洗浄室内に収納した食器に噴射し、食器に付着した汚れを洗浄すると共に、その後のすすぎ工程ではすすぎ水を貯溜するすすぎタンクからすすぎポンプによりすすぎ水をすすぎノズルに給送し、噴射することによって、食器に付着した洗浄水をすすぎ方式が採用されている。
【０００３】
また、洗浄タンクの上面は洗浄室内に開口しており、前記洗浄ノズルより噴射された洗浄水は洗浄タンクに回収され、繰り返し使用されるが、すすぎ水も洗浄タンクに流入するため、この流入した分の水は、当該洗浄タンクに設けられるオーバーフローパイプ内に流入し、パイプを通って排水ホースに至り、外部に排水されるものであった（特許文献１参照）。
【０００４】
しかしながら、従来の洗浄機では、洗浄タンク内の洗浄水は、オーバーフロー管に流入した水が自重により排水ホースを介して外部に排水されるものであったため、設置床面に排水設備を備えている場合でなければ、洗浄タンク内の洗浄水を円滑に廃棄することができないという問題があった。一方、小規模の飲食店などの店舗設備には、シンクは設けられているが、床面に排水設備が設けられていない場合が多い。そのため、かかる店舗に、当該洗浄機を設置することができないという問題があった。
【０００５】
そこで、洗浄タンク内の洗浄水を排水ポンプなどの排水手段により、強制的に外部に排出する機能を備えた洗浄機が開発されている。かかる洗浄機では、洗浄タンクに設けられたドレンパイプに排水ポンプが接続され、排水ホースを介してシンクなどに洗浄タンク内の洗浄水を導く構成とされている。
【０００６】
【特許文献１】
特開平１１−１９７０８５号公報
【０００７】
【発明が解決しようとする課題】
従来の洗浄機では、洗浄運転のすすぎ工程において、すすぎポンプの運転により洗浄室内にすすぎ水が噴射され、洗浄タンク内に回収される。そして、このすすぎ水は、洗浄水に追加されるかたちとなるため、洗浄タンク内の洗浄水位は上昇するが、洗浄タンクに接続された排水ポンプが運転されることにより、追加された分の洗浄水は、外部に排出される。これによって、洗浄タンク内の水位は一定値に規制される。
【０００８】
ここで、排水ポンプは、すすぎポンプにより洗浄タンク内に流入したすすぎ水を外部に排出しなければならないため、従来では、すすぎポンプと同じ能力の排水ポンプを使用していた。しかしながら、すすぎポンプと同様の能力を有するポンプは、比較的大型のポンプであるため、本体内に収容することが困難となり、装置自体が大型化する問題があった。また、大型のポンプを追加して配設することにより、コストの高騰を招く問題があった。
【０００９】
特に、当該強制排水機構を搭載した洗浄機を設置する店舗は、比較的小規模の店舗であるため、比較的大型の装置を設置するスペースを確保することが困難である問題もある。
【００１０】
また、上述の如く格別に強制排水機構を設けた洗浄機と当該排水機構を設けない洗浄機とで、本体内のレイアウト及び本体の寸法を大幅に変更しなければならないという不都合が生じた。
【００１１】
そこで、本発明は従来の技術的課題を解決するために成されたものであり、大型のポンプを用いることなく洗浄タンク内の洗浄水を効率的に強制排水することができる洗浄機を提供することを目的とする。
【００１２】
【課題を解決するための手段】
本発明の洗浄機は、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水ポンプと、各ポンプの運転を制御する制御手段とを備えたものであって、制御手段は、洗浄運転時に洗浄ポンプを運転して洗浄工程を実行し、すすぎポンプを運転してすすぎ工程を実行すると共に、該すすぎポンプの運転に伴って排水ポンプを、すすぎポンプよりも長く運転するので、比較的小型の排水ポンプを用いて洗浄タンク内の排水を行うことができるようになり、コストの削減及び装置自体が大きくなる不都合を回避することができるようになる。
【００１３】
請求項２の発明の洗浄機は、上記において、制御手段は、すすぎ工程においてすすぎポンプの運転開始より遅延して排水ポンプの運転を開始するので、排水ポンプが空気を吸い込み、正常に運転できなくなる不都合を回避することができるようになる。
【００１４】
請求項３の発明の洗浄機は、上記各発明において、すすぎポンプの運転時間は可変とされており、制御手段は、当該すすぎポンプの運転時間に応じて排水ポンプの運転時間を変更するので、被洗浄物の状態に応じてすすぎ時間を変更することができるようになり、利便性が向上する。また、すすぎポンプの運転時間に応じて排水ポンプの運転時間が変更されるため、運転時間変更時における設定作業の簡素化を図ることができると共に、排水ポンプの運転時間の変更忘れによる水の漏洩を防止することができるようになる。
【００１５】
請求項４の発明の洗浄機は、上記各発明において、制御手段は、排水ポンプのみが運転されている状態において、洗浄工程が開始された場合には、当該排水ポンプを停止するので、洗浄工程において洗浄ポンプが運転されることにより洗浄タンク内の水位が変化し、これにより、排水ポンプが空運転を生じることを未然に回避することができるようになる。これにより、排水ポンプの故障の発生及び短命化を抑制することができるようになる。
【００１６】
請求項５の発明の洗浄機は、上記各発明において、制御手段は、すすぎポンプを運転して洗浄タンク内に給湯する給湯運転を所定回数実行すると共に、該給湯運転中に排水ポンプを運転するので、洗浄タンク内に貯溜されるすすぎ水が洗浄タンクから漏出し、漏出し、外部にまで溢れることを抑制することができるようになる。
【００１７】
請求項６の発明の洗浄機は、上記において、制御手段は、給湯運転を実行する回数が終了する所定回数前から排水ポンプを運転するので、給湯運転により洗浄タンク内に洗浄水が予め定められた基準水位まで貯溜されている状態での排水ポンプの運転を禁止すると共に、当該基準水位を超えた洗浄水を排水ポンプにて外部に排水することができるようになる。これにより、基準水位まで給湯運転を行っている場合に、排水ポンプを停止することができ、当該排水ポンプの空運転を抑制することができるようになる。また、基準水位を超える分の洗浄水は、排水ポンプが運転されることにより、円滑に排水を実行することができるようになる。
【００１８】
請求項７の発明の洗浄機は、上記において、制御手段は、最終回の給湯運転終了後の所定時間排水ポンプの運転を継続すると共に、当該排水ポンプの運転終了後に洗浄ポンプを運転するので、排水ポンプの運転中に洗浄ポンプの運転が開始されることにより、洗浄タンク内の水位が変動し、排水ポンプが空運転を生じる不都合を回避することができるようになる。
【００１９】
請求項８の発明の洗浄機は、上記各発明において、洗浄タンク内の洗浄水の溢出を防止するための溢れ防止センサを備え、制御手段は、溢れ防止センサの出力に基づき、洗浄タンク内の水位が所定値より上昇した場合には、排水ポンプを運転するので、洗浄タンク内の水位が所定値より上昇することを回避することができるようになる。これにより、被洗浄物が洗浄後の水に浸漬される不都合を回避することができ、好適に被洗浄物の洗浄を行うことができるようになる。
【００２０】
請求項９の発明の洗浄機は、上記において、制御手段は、排水ポンプを運転している場合、すすぎポンプの運転を禁止するので、すすぎポンプの運転により洗浄タンク内の水位が上昇することを抑制することができるようになる。
【００２１】
請求項１０の発明の洗浄機は、上記において、制御手段は、すすぎポンプの運転が禁止されている場合、洗浄工程への移行を禁止するので、すすぎポンプが運転されず、被洗浄物のすすぎ工程における仕上げができない状態での洗浄工程の開始を回避することができるようになる。
【００２２】
請求項１１の発明の洗浄機は、請求項８、請求項９又は請求項１０の発明において、制御手段は電源スイッチを備え、溢れ防止センサの出力に基づき、洗浄タンク内の水位が所定値より上昇した場合には、電源スイッチがＯＦＦされている場合にも、排水ポンプを運転するので、電源スイッチがＯＦＦの状態であっても、洗浄タンク内の水が異常水位に達した場合に排水ポンプを運転することができ、洗浄機を使用していない場合においても、水が外部に溢出する不都合を回避することができるようになる。
【００２３】
請求項１２の発明の洗浄機は、上記各発明において、制御手段は、排水ポンプを運転して洗浄タンク内の洗浄水を排出する排水運転を実行すると共に、当該排水ポンプの運転時間は可変とされているので、洗浄水の汚染の度合いにより変化する排水に必要な時間に応じて、排水ポンプの運転時間を変更することができ、排水ポンプの運転時間中に排水しきれず、洗浄タンク内に洗浄水が残留する不都合を回避することができるようになる。
【００２４】
請求項１３の発明の洗浄機は、上記発明において、制御手段は、排水運転中にすすぎポンプを運転するので、比較的きれいなすすぎ水にて洗浄タンク内や排水経路を洗浄することができるようになり、これら洗浄タンク内や排水経路を衛生的に維持することができるようになる。
【００２５】
請求項１４の発明の洗浄機は、上記発明において、制御手段は、排水運転の開始から排水ポンプを運転した後、当該排水ポンプを停止して所定時間すすぎポンプを運転すると共に、当該すすぎポンプの停止後、該すすぎポンプの運転時間よりも長く再度排水ポンプを運転するので、すすぎポンプよりも能力の小さいポンプにて排水ポンプを構成した場合であっても、洗浄タンク内の洗浄水の排水処理を行うことができるようになる。
【００２６】
請求項１５の発明の洗浄機は、請求項１２、請求項１３又は請求項１４の発明において、制御手段は電源スイッチを備え、当該電源スイッチがＯＦＦされても排水ポンプの運転を実行するので、洗浄タンク内に洗浄水が残留したまま、運転が終了される不都合を回避することができるようになる。
【００２７】
請求項１６の発明の洗浄機は、上記発明において、制御手段は、電源スイッチがＯＦＦされている状態からＯＮされた場合には、排水ポンプを停止するので、誤って排水運転を実行してしまった場合であっても、排水ポンプの運転を停止することにより、洗浄タンク内に残留される洗浄水を次回の洗浄運転に使用することができるようになる。
【００２８】
【発明の実施の形態】
次に、図面に基づき本発明の実施形態を詳述する。図１は本発明の食器洗浄機ＤＷの正面図、図２は食器洗浄機ＤＷの一部透視側面図、図３は食器洗浄機ＤＷの縦断側面図、図４は食器洗浄機ＤＷの平面図を示している。本発明の食器洗浄機ＤＷは、洗浄タンク９内の洗浄水の排水を排水ポンプ４２によって強制的に行い、図示しないシンクに排水可能とする自動食器洗浄機であり、例えば喫茶店などの小規模の飲食店などの厨房に設置されるのに好適なものである。
【００２９】
この食器洗浄機ＤＷは、前方に開口するステンレス製の内箱３内に洗浄室２が構成され、この内箱３の下方には、機械室４が構成されている。尚、この内箱３の前端両側には上下に延在する図示しないアングル材が取り付けられ、機械室４まで渡っており、内箱３の天板上方には間隔を存してステンレス製の天壁としてのトップテーブル（作業台）７が設けられる。また、内箱３の背面及び左右側面には、外装パネル８が取り付けられている。この左右の外装パネル８の前端は、前記アングル材の外縁につながり、下部は、機械室４の左右に位置している。また、背方の外装パネル８も機械室４の後方に位置すると共に、これら外装パネル８の上端が前記トップテーブル７の外縁に繋がる構成とされ、内箱３を含めたこれら部材によって食器洗浄機ＤＷの本体１が構成されている。
【００３０】
内箱３の前面開口には、ステンレス製の扉１６が前方に回動自在に取り付けられており、これにより、内箱３の前面開口は、開閉自在に閉塞される。機械室４の前面には、前面パネル１７が着脱自在に取り付けられており、機械室４内を容易にメンテナンスができる構成としている。
【００３１】
尚、扉１６の上縁部に対応する位置の外装パネル８縁部には、当該扉１６の開閉状態を検知するためのドアスイッチ１８（図９のみ図示する。）が設けられている。また、本体１の前面には、コントロールパネル５が設けられており、当該コントロールパネル５には、電源スイッチ６、スタートスイッチ１１、温度表示部１２などが設けられている。また、本実施例では、本体１の前面であって、コントロールパネル５の側方には、詳細は後述する排水手順を示すラベル１３が貼付されている。
【００３２】
洗浄室２の底面となる内箱３の底板３Ａは、前端から少許後方に略水平に形成された後、機械室４側に低く形成されており、上面に開口する洗浄タンク９に連続している。即ち、この洗浄タンク９は洗浄室２の底部において上面が開口している。尚、洗浄タンク９は底板３Ａと別体であって連続するように接続されていても、底板３Ａと一体に構成されるものであっても良いものとする。
【００３３】
そして、洗浄タンク９の上縁には、フィルタ１０が着脱自在に設けられ、当該フィルタ１０によって、洗浄室２と洗浄タンク９とが区画される。尚、この洗浄タンクは、後述するすすぎタンク２５に比較して容量が大きく形成されている。
【００３４】
係る洗浄室２の上部には図３に示す如く洗浄水を下向きに噴射する複数の洗浄ノズル口２０Ａ・・を有する上洗浄ノズル２０が回転可能に配設されると共に、この上洗浄ノズル２０の若干下位には上洗浄ノズル２０と同心上で回転する上すすぎノズル２１が配設されている。この上すすぎノズル２１はすすぎ水を下向きに噴射する複数のすすぎノズル口２１Ａ・・を有している。
【００３５】
また、洗浄室２の下部には洗浄水を上向きに噴射する複数の洗浄ノズル口２２Ａ・・を有する下洗浄ノズル２２が回転可能に配設され、この下洗浄ノズル２２の若干上位にはすすぎ水を上向きに噴射する複数のすすぎノズル口２３Ａ・・を有する下すすぎノズル２３が下洗浄ノズル２２と同心上で回転可能に配設されている。
【００３６】
他方、上下洗浄ノズル２０、２２と洗浄タンク９の間には、洗浄タンク９に貯溜される洗剤が混入した＋６０℃程の洗浄水を、洗浄配管２６を介して上下洗浄ノズル２０、２２に循環するための洗浄ポンプ２７が配設されている。尚、この洗浄ポンプ２７は、洗浄タンク９の下側に位置する機械室４内に配設されるものとする。また、機械室４内には、洗浄タンク９の下方に位置して当該洗浄タンク９内の洗浄水を外部に強制的に排出するための排水機構（詳細は後述する。）の一部を構成する排水ポンプ４２が配設されていると共に、＋８０℃程の高温のすすぎ水を貯溜するためのすすぎタンク２５が並設されている。
【００３７】
このすすぎタンク２５は前記洗浄タンク９に比較して小さい容量のものであり、このすすぎタンク２５には瞬間湯沸器等から成る図示しない給湯装置から配管及び電磁開放弁を介して前記すすぎ水が供給（給湯）される。また、すすぎタンク２５と上下すすぎノズル２１、２３の間には、すすぎ配管２８が接続される。このすすぎ配管２８には、上下すすぎノズル２１、２３に、すすぎタンク２５に貯溜するすすぎ水を、給送するためのすすぎポンプ２９が配設されている。
【００３８】
尚、本実施例において、すすぎタンク２５の上部には、図１に示す如くエア抜き口３１が形成されており、このエア抜き口３１には、例えばゴム配管により構成される連結部材３２が着脱自在に取り付けられ、当該連結部材３２を介してエア抜きパイプ３０が機械室４外に引き出される。尚、図１では、エア抜きパイプ３０の構成を簡素化して示すため、外装パネル８の外方にまで引き出されているが、図４に示す如く内箱３と外装パネル８の間に引き出されているものとする。そして、このエア抜きパイプ３０は、本体１側面に沿って上昇して設けられると共に、当該エア抜きパイプ３０の上端３０Ａは、洗浄室２上部に位置して、洗浄室２側に折曲される。更に、このエア抜きパイプ３０の上端３０Ａは、図４に示す如く洗浄室２内の壁面に沿って配設されるものとする。
【００３９】
これにより、エア抜きパイプ３０を介してすすぎタンク２５内と洗浄室２内とを連通させることができ、従来、問題とされていたすすぎタンク２５内が負圧となる不都合を回避することができるようになる。これにより、安定してすすぎポンプ２９を運転することができるようになる。また、上述したすすぎタンク２５にすすぎ水を供給する電磁開閉弁が故障した場合であっても、運転が停止されたすすぎポンプ２９に負荷を加えることなく、すすぎタンク２５内に供給されたすすぎ水をエア抜きパイプ３０を介して洗浄室２内に送給することができるようになる。
【００４０】
本実施例におけるエア抜きパイプ３０は、連結部材３２を介してすすぎタンク２５に着脱自在に設けられることから、すすぎタンク２５及び洗浄室２の構成を簡素化することができる。また、すすぎタンク２５のメンテナンスを行う際には、エア抜き口３１から連結部材３２を取り外し、前面パネル１７を開放することにより、すすぎタンク２５を前方に引き出すことができ、容易にメンテナンスを行うことができるようになる。
【００４１】
更に、本実施例におけるエア抜きパイプ３０は、上述した如く洗浄室２内に位置するエア抜きパイプ３０の上端３０Ａは、洗浄室２内の壁面に沿って配設されるので、上記上洗浄ノズル２０が作動している際に、当該エア抜きパイプ３０を介して、すすぎタンク２５内に洗浄水が浸入し、すすぎタンク２５内のすすぎ水を汚染する不都合を回避することができるようになる。
【００４２】
他方、前記洗浄タンク９の背面に位置する外装パネル８の外面には、洗浄タンク９内の洗浄水の溢出を防止するための溢れ防止センサ３５が設けられる。この溢れ防止センサ３５は所謂フロートスイッチにより構成され、洗浄タンク９の基準水位よりも少許高い位置にて開口する連結パイプ３６を介して洗浄タンク９の背面と接続されている。従って、溢れ防止センサ３５は、基準水位よりも少許高い位置において洗浄タンク９と連通する。
【００４３】
これにより、洗浄タンク９内の水位が上昇した際には、洗浄タンク９内の洗浄水が連結パイプ３６を介して溢れ防止センサ３５内に流入することにより、容易に洗浄タンク９内の洗浄水が基準水位よりも高い水位となったことを検知することができるようになる。尚、連結パイプ３６は、洗浄タンク９内の洗浄水の基準水位よりも少許高い位置に開口するように取り付けられていることから、洗浄水が基準水位である場合に、連結パイプ３６内に洗浄水が浸入しないこととなり、溢れ防止センサ３５にも洗浄水が浸入しないこととなる。そのため、連結パイプ３６や溢れ防止センサ３５の洗浄水による汚れの堆積を緩和することができ、当該溢れ防止センサ３５が早期に故障することを未然に回避することができるようになる。
【００４４】
また、本実施例において、連結パイプ３６の洗浄タンク９側の開口付近には、当該連結パイプ３６の開口を覆う連結パイプカバー部材３８が設けられている。そのため、洗浄タンク９内の洗浄水中に汚物が含有されている場合であっても、当該連結パイプカバー部材３８により、連結パイプ３６内に洗浄水内の汚物等が侵入することを抑制することができ、溢れ防止センサ３５の故障を抑制することができる。これにより、当該溢れ防止センサ３５を正常に機能させることができるようになる。
【００４５】
また、この溢れ防止センサ３５には、図２に示す如く当該溢れ防止センサ３５を被覆するセンサカバー部材３９が着脱自在に取り付けられる。このセンサカバー部材３９の斜視図を図５に示す。このセンサカバー部材３９は、例えば硬質合成樹脂などにより構成されており、洗浄タンク９側が開口した断面略コ字状を呈している。そして、この両側端は上下に渡って内方に延出したフランジ部３９Ａが形成されていると共に、当該フランジ部３９Ａには、上下に延在すると共に、洗浄タンク９側に突出するように断面略クランク状のレール３９Ｂが取り付けられている。尚、当該レール３９Ｂ、３９Ｂ間は、溢れ防止センサ３５の横寸法に対し、略きっちり保持可能とする幅となるように設けられているものとする。
【００４６】
これにより、当該センサカバー部材３９のレール３９Ｂ、３９Ｂを、本体１背面に取り付けられた溢れ防止センサ３５の両側面の上端又は下端に宛い、上下に摺動させることにより、センサカバー部材３９を溢れ防止センサ３５に着脱自在に取り付けることができるようになる。
【００４７】
そのため、溢れ防止センサ３５が剥き出しの状態となる不都合を回避することができ、特に設置時における当該センサ３５の配線の損傷を抑制することができるようになる。また、センサカバー部材３９は、溢れ防止センサ３５に対し、開閉可能に取り付けられることから、容易に溢れ防止センサ３５のメンテナンスを行うことができ、利便性が向上する。
【００４８】
尚、本実施例では、センサカバー部材３９のレール３９Ｂ、３９Ｂを溢れ防止センサ３５の横寸法に対し、略きっちり保持可能とする幅となるように構成すると共に、センサ３５に対し、上下に摺動自在に取り付ける構成とされているが、これ以外に、センサカバー部材３９のレール３９Ｂ、３９Ｂを溢れ防止センサ３５の縦寸法に対し、略きっちり保持可能とする幅となるように構成し、センサ３５に対し、左右に摺動自在に取り付けても良いものとする。かかる場合には、当該センサ３５に連結される連結パイプ３６をも保護することができるようになる。
【００４９】
次に、上述した如き洗浄タンク９の洗浄水の排水機構（排水手段）について図２及び図６乃至図８を参照して説明する。図６は排水ポンプフィルタセット４５を洗浄タンク９に取り付けた状態の断面図、図７は排水ポンプフィルタセット４５を洗浄タンク９から脱着する状態の断面図、図８は全排水時における排水ポンプフィルタセット４５の断面図を示している。
【００５０】
前記洗浄タンク９の底面９Ｂには、排水口４３が形成されており、この排水口４３には、下方に突出した排水接続部４４が取り付けられている。そして、この排水接続部４４には、図示しない配管を介して前記排水ポンプ４２が接続される。この排水ポンプ４２の出口側には、図２に示す如く排水ホース４６が接続され、当該排水ホース４６は、外部、例えば、当該食器洗浄機ＤＷが設置される厨房のシンクなどにまで引き出されている。尚、本実施例において用いられる排水ポンプ４２は、前記すすぎポンプ２９の約１／３の能力を有する比較的小型のポンプであるものとする。
【００５１】
尚、この排水ホース４６は、排水ポンプ４２の運転により上下や左右などに動き、トラップを形成することを抑制するため、機械室４を構成する前記アングル材に固定具４７により固定されている。これにより、排水ポンプ４２により安定して洗浄タンク９内の洗浄水の排水を実行することができるようになる。ここで、本実施例では、排水ホース４６を固定する固定具４７は、アングル材のみに用いられているが、これ以外にも、本体１の背面や排水ポンプ４２の収納部分などに設けても良いものとする。
【００５２】
一方、洗浄タンク９の底面に形成された排水口４３には、上下に開口したドレンパイプ５０が、同じく上下に開口したドレンパイプ保持具５１を介して当該排水口４３を塞ぐように着脱自在に立設される。
【００５３】
他方、排水口４３の上方に位置する洗浄タンク９の上面９Ａには、開口９Ｃが形成され、当該開口９Ｃの近傍には、鏃状の係合爪９Ｄが形成されている。そして、この上面９Ａの上方から開口９Ｃを閉塞するようにドレン取付板５２が載置される。このドレン取付板５２にも、ドレンパイプ挿入口が形成されていると共に、前記洗浄タンク９の係合爪９Ｄに対応する位置には、該係合爪９Ｄと着脱自在に係止される係合孔５２Ａが形成されている。
【００５４】
一方、ドレンパイプ５０の上端には、ドレンパイプ５０の上面開口と洗浄タンク９とを連通可能とする構成、本実施例では、複数の棒状部材により構成される係合部材５４が着脱自在に取り付けられる。この係合部材５４の下端には、前記ドレン取付板５２に形成されたドレンパイプ挿入口よりも外方にまで延出したフランジ部５４Ａが形成されている。
【００５５】
この状態で、ドレンパイプ５０の上端をドレン取付板５２の下方からドレンパイプ挿入口に挿入した後、ドレン取付板５２の上方から係合部材５４の上端に排水調整具５３を取り付ける。本実施例において排水調整具５３は、立方体又は長方体により構成されていると共に、この排水調整具５３の前面及び後面、若しくは、左右側面に位置するドレン取付板５２には、当該排水調整具５３を上方に引き上げ、例えば略９０°回転させた後、当該排水調整具５３の角隅部を支持する排水調整具支持部材５５が設けられているものとする。
【００５６】
また、ドレンパイプ５０及びドレンパイプ保持具５１には、これらドレンパイプ５０及びドレンパイプ保持具５１の周囲を囲繞するように、洗浄タンク９の底面９Ｂから上面９Ａの高さ寸法と略同一寸法の排水フィルタ５７が設けられる。そして、これらドレンパイプ５０とドレンパイプ保持具５１と、ドレン取付板５２と、排水調整具５３と、排水フィルタ５７とにより排水ポンプフィルタセット４５が構成される。
【００５７】
そして、この排水ポンプフィルタセット４５のドレンパイプ５０を、洗浄タンク９の上面９Ａに形成された開口９Ｃに挿入し、ドレンパイプ保持具５１の下端を洗浄タンク９の底面９Ｂに形成された排水口４３に挿入し、ドレン取付板５２に形成された係合孔５２Ａを洗浄タンク９の上面９Ａに形成された係合爪９Ｄに係合させることにより、排水ポンプフィルタセット４５が洗浄タンク９に設置されることとなる。このとき、係合部材５４は、ドレンパイプ５０の上面開口が洗浄タンク９の洗浄水の基準水位と面一となるようにドレンパイプ５０を保持しているものとする。
【００５８】
以上の構成により、ドレンパイプ５０と排水フィルタ５７とが一体化されて排水ポンプフィルタセット４５を構成するため、かかる排水ポンプフィルタセット４５を洗浄タンク９の排水口４３に設置することで、容易にドレンパイプ５０と排水フィルタ５７を排水口４３に取り付けることができるようになる。
【００５９】
ここで、洗浄タンク９の洗浄水面を所定水位に規制する位置にて、ドレンパイプ５０の上端が開口していることから、図６に矢印にて示す如く当該所定水位を超える洗浄水は、排水フィルタ５７を介してドレンパイプ５０内に浸入し、排水口４３を介して排水ポンプ４２に送出することができる。
【００６０】
また、排水フィルタ５７は、排水ポンプフィルタセット４５が洗浄タンク９に取り付けられた状態で、洗浄タンク９の底面９Ｂと上面９Ａとに挟持されるため、排水調整具５３を上方に引き上げた際には、ドレンパイプ５０と、ドレンパイプ保持具５１と係合部材５４のみが上方に引き上げられ、排水口４３とドレンパイプ保持具５１との間に間隔が形成され、洗浄タンク９内の洗浄水が図８に矢印にて示す如く排水フィルタ５７を介して排水口４３に流出可能となる。そのため、排水フィルタ５７にて洗浄水中の汚物を捕獲することができ、排水口４３の詰まりを抑制することができるようになる。
【００６１】
また、上述した如く排水ポンプフィルタセット４５は、洗浄タンク９の開口９Ｃの近傍に形成された係合爪９Ｄに着脱自在に固定されるので、排水ポンプフィルタセット４５を係合爪９Ｄに固定することにより、容易に排水ポンプフィルタセット４５の位置決めを行うことができる。これにより、取付作業を効率的に行うことができるようになる。
【００６２】
更に、排水ポンプフィルタセット４５は、着脱自在に洗浄タンク９に固定されることから、容易に取り外し、汚れに応じて掃除等のメンテナンスを行うことができるようになる。
【００６３】
また、本実施例では、排水フィルタ５７の下端には、複数の切欠５７Ａが形成されている。そのため、洗浄タンク９内底面の洗浄水をも排水することが可能となる。
【００６４】
次に、図９を参照して制御装置６０について説明する。制御装置６０は汎用のマイクロコンピュータにて構成されており、この制御装置６０の入力側には前記洗浄タンク９内に設けられた温度センサ６１と、ドアスイッチ１８と、電源スイッチ６と、スタートスイッチ１１と、溢れ防止センサ３５が接続されている。また、制御装置６０の出力側には温度表示部１２と、前記洗浄ポンプ２７と、すすぎポンプ２９と、排水ポンプ４２と、警報ブザー６２とが接続されている。
【００６５】
以上の構成により、図１０乃至図１３のフローチャート図を参照して本発明の食器洗浄機ＤＷの動作を説明する。尚、上下すすぎノズル２１、２３（上下洗浄ノズル２０、２２）間の洗浄室２内に皿等の食器から成る図示しない被洗浄物を収納する。また、排水機構を構成する排水調整具５３は下げられた状態とし、ドレンパイプ５０の上面開口は、洗浄タンク９の基準水位と略面一の位置とされているものとする。
【００６６】
先ず、図１０を参照して本実施例の食器洗浄機ＤＷの給湯運転について説明する。制御装置６０は、ステップＳ１において電源スイッチ６が投入されると、給湯運転を実行する。この給湯運転では、制御装置６０は、図示しない給湯装置からすすぎタンク２５へのすすぎ水の供給を開始する。このとき、給湯装置は、加熱された熱湯（＋８０℃以上）をすすぎタンク２５に供給するため、すすぎタンク２５内には高温のすすぎ水が貯溜されていく。
【００６７】
制御装置６０は、すすぎタンク２５内に所定量のすすぎ水が貯溜されると、ステップＳ２に移行してすすぎポンプ２９を運転（動作）を開始する。すすぎポンプ２９が運転を開始すると、すすぎタンク２５内の高温（＋８０℃）のすすぎ水はすすぎ配管２８より上下すすぎノズル２１、２３に給送される。給送されたすすぎ水は上すすぎノズル２１のすすぎノズル口２１Ａ・・から下向きに噴射されると共に、下すすぎノズル２３のすすぎノズル口２３Ａ・・から上向きに噴射される。そして、噴射されたすすぎ水は落下してフィルタ１０を通って洗浄タンク９内に回収され、貯溜される。
【００６８】
すすぎポンプ２９の運転によってすすぎタンク２５内のすすぎ水がすすぎ配管２８に給送されて行くと、すすぎタンク２５内の水位は低下するため、制御装置６０は、本実施例では、約８秒間すすぎポンプ２９の運転を行った後、約４０秒間すすぎポンプ２９を停止する。そして、このすすぎポンプ２９の停止期間中に再び給湯装置からすすぎタンク２５へのすすぎ水の供給を再開する。以後係る給湯サイクルを繰り返して洗浄タンク９への給湯を数回、本実施例では、１０回繰り返す。このとき、制御装置６０は、ステップＳ３において、当該給湯サイクルが９回以上行われたか否かを判断し、給湯サイクルを９回目以下である場合には、制御装置６０は、ステップＳ２に戻る。
【００６９】
そして、ステップＳ３において、給湯サイクルが９回以上行われた場合には、制御装置６０は、ステップＳ４に移行し、排水ポンプ４２を運転する。即ち、本実施例において給湯サイクルが８回行われた時点では、洗浄タンク９内の洗浄水の水位は、基準水位よりも下方に位置しており、給湯サイクルが９回行われることにより、洗浄タンク９内の洗浄水の水位は基準水位を越える。そこで、制御装置６０は、洗浄タンク９内の洗浄水の水位が基準水位よりも高くなる時点で排水ポンプ４２を運転することにより、効率的に基準水位を超える洗浄水の排水を行うことができる。これにより、洗浄タンク９内に貯溜されるすすぎ水が洗浄タンク９から漏出し、外部にまで溢れることを抑制することができるようになる。
【００７０】
また、洗浄タンク９内に貯溜される洗浄水の水位が基準水位にまで満たない時点で排水ポンプ４２を作動させることにより、当該排水ポンプ４２の空運転が生じる不都合を回避することができるようになる。
【００７１】
その後、制御装置６０はステップＳ５に進み、給湯サイクルの１０回目が終了したか否かを判断し、当該給湯サイクルの１０回目が終了した時点でステップＳ６に進む。ステップＳ６では、制御装置６０は、すすぎポンプ２９の運転を停止する。このとき、排水ポンプ４２の運転は継続して行うものとする。そして、ステップＳ７において制御装置６０は、すすぎポンプ２９の運転時間の３倍の時間だけ、本実施例では、給湯サイクル一回におけるすすぎポンプ２９の運転時間は約８秒としていたため、すすぎポンプ２９は３倍の約２４秒が経過したか否かを判断し、当該時間が経過した時点でステップＳ８に進み、排水ポンプ４２の運転を終了する。
【００７２】
そして、制御装置６０は、ステップＳ９に移行し、洗浄タンク９内に図示しない洗剤を投入し、洗浄ポンプ２７を運転して、洗浄タンク９内の撹拌を行い、給湯運転を終了する。
【００７３】
これにより、排水ポンプ４２の運転中に洗浄ポンプ２７の運転が開始されることにより、洗浄タンク９内の水位が変動し、排水ポンプ４２が空運転を生じる不都合を回避することができるようになる。
【００７４】
その後、制御装置６０は、上述した如き給湯運転の終了した後、洗浄運転待機状態となる。次に、図１１を参照して洗浄運転について説明する。この洗浄運転待機状態において電源スイッチ６は、予めＯＮとされている（ステップＳ１１）。そして、この状態で、スタートスイッチ１１が操作されると（ステップＳ１２）、制御装置６０は、洗浄運転を開始する。洗浄運転の洗浄工程においては、制御装置６０はステップＳ１３において洗浄ポンプ２７を運転して洗浄タンク９に貯溜されている洗浄水を洗浄配管２６より上下洗浄ノズル２０、２２に循環する。循環された洗浄水は上洗浄ノズル２０の洗浄ノズル口２０Ａ・・から下向きに噴射されると共に、下洗浄ノズル２２の洗浄ノズル口２２Ａ・・から上向きに噴射され、被洗浄物に吹き付けられてそれらを洗浄すると共に、一部は上下洗浄ノズル２０、２２の回転推進力となるので、上下洗浄ノズル２０、２２は回転する。噴射された洗浄水は洗浄タンク９内に回収されて再び上下洗浄ノズル２０、２２に循環される。
【００７５】
制御装置６０は、洗浄ポンプ２７が運転してから所定時間、例えば７０秒経過したか否かを判断し（ステップＳ１４）、当該所定時間が経過した後、制御装置６０は洗浄ポンプ２７を停止して洗浄工程を終了し、所定時間、例えば４秒間、洗浄ポンプ２７及びすすぎポンプ２９の運転を停止する水切り工程（ステップＳ１５）を経て、すすぎ工程を開始する。
【００７６】
制御装置６０は、ステップＳ１６において、すすぎポンプ２９の運転（動作）を開始すると、前述の給湯運転と同様すすぎタンク２５内の高温（＋８０℃）のすすぎ水をすすぎ配管２８より上下すすぎノズル２１、２３に給送する。給送されたすすぎ水は上すすぎノズル２１のすすぎノズル口２１Ａ・・から下向きに噴射されると共に、下すすぎノズル２３のすすぎノズル口２３Ａ・・から上向きに噴射され、被洗浄物に吹き付けられてそれらのすすぎを行うと共に、一部は上下すすぎノズル２１、２３の回転推進力となるので、上下すすぎノズル２１、２３は回転する。
【００７７】
噴射されたすすぎ水は同様に洗浄タンク９内に回収される。また、このすすぎ水は洗浄水に追加されるかたちとなるため、洗浄タンク９内の洗浄水位は上昇する。そのため、制御装置６０は、当該すすぎ工程を開始してから、即ちすすぎポンプ２９の運転を開始してから所定時間、例えば５秒経過後に排水ポンプ４２を運転する（ステップＳ１７、１８）。また、制御装置６０は、すすぎポンプ２９の運転を開始してから所定時間、例えば１０秒経過後にすすぎポンプ２９の運転を停止する（ステップＳ１９、２０）。その後、制御装置６０は、警報ブザー６２により、洗浄運転が終了したことを作業者に報知する（ステップＳ２１）。
【００７８】
一方、制御装置６０は、排水ポンプ４２の運転を開始してから所定時間、本実施例では、すすぎポンプ２９の運転時間の３倍の時間、即ち１０秒×３の３０秒が経過した後、排水ポンプ４２の運転を停止する（ステップＳ２３、２４）。
【００７９】
これにより、制御装置６０は、すすぎポンプ２９の運転に伴って排水ポンプ４２を、すすぎポンプ２９の運転時間よりも長く運転するので、比較的小型の排水ポンプ４２を用いて洗浄タンク９内の排水を行うことができるようになり、コストの削減及び装置自体が大きくなる不都合を回避することができるようになる。
【００８０】
また、上述した如く、制御装置６０は、すすぎ工程においてすすぎポンプ２９の運転開始より遅延して排水ポンプ４２の運転を開始するので、排水ポンプ４２が空気を吸い込み、正常に運転できなくなる不都合を回避することができるようになる。
【００８１】
尚、制御装置６０は、ステップＳ２０においてすすぎポンプ２９の運転を停止してから、ステップＳ２４における排水ポンプ４２の運転を停止するまでの間に、ステップＳ２２においてスタートスイッチ１１が操作されたか否かを判断し、操作された場合には、新たに洗浄運転を開始するため、排水ポンプ４２の運転を停止し（ステップＳ２５）、洗浄タンク９内の洗浄水を排水を終了する。
【００８２】
これにより、制御装置６０は、排水ポンプ４２のみが運転されている状態において、スタートスイッチ１１が操作され、洗浄工程が開始された場合には、当該排水ポンプ４２を停止するので、洗浄工程において洗浄ポンプ２７が運転されることにより洗浄タンク９内の水位が変化し、これにより、排水ポンプ４２が空運転を生じることを未然に回避することができるようになる。これにより、排水ポンプ４２の故障の発生及び短命化を抑制することができるようになる。
【００８３】
尚、本実施例において、すすぎ工程におけるすすぎポンプ２９の運転時間は可変とされているものとする。更に制御装置は、このすすぎポンプ２９の運転時間の変更に応じて排水ポンプ４２の運転時間を変更するものとする。これにより、被洗浄物の状態に応じてすすぎ時間を変更することができるようになり、利便性が向上する。また、すすぎポンプ２９の運転時間に応じて排水ポンプ４２の運転時間が自動的に変更されるため、運転時間変更時における設定作業の簡素化を図ることができると共に、排水ポンプ４２の運転時間の変更忘れによる水の漏洩を防止することができるようになる。
【００８４】
尚、一日の洗浄運転を終了した場合には、洗浄タンク９内の洗浄水を全て排水する。そのため、作業者は、前記排水調整具５３を上方に引き上げた後例えば略９０°回動させ、当該排水調整具５３の角隅部を排水調整具支持部材５５に係止させる。これにより、排水ポンプフィルタセット４５は、上方に引き上げられた状態となり、ドレンパイプ保持具５１と排水口４３との間に間隔が形成される。これにより、排水待機状態となる。尚、この動作については、上述した如くコントロールパネル５の側方に貼付されたラベル１３に記載することにより、作業者に容易に正しい排水手順を提示することができるようになる。
【００８５】
ここで、排水運転時における動作について図１２を参照して説明する。上述した如き排水待機状態において電源スイッチ６は、予めＯＦＦとされている（ステップＳ３１）。そして、この状態で、スタートスイッチ１１が操作されると（ステップＳ３２）、制御装置６０は、排水運転を開始する。排水運転において制御装置６０は、排水ポンプ４２を運転し（ステップＳ３３）、所定時間、本実施例では約２分経過後に排水ポンプ４２の運転を停止し、すすぎポンプ２９の運転を開始する（ステップＳ３４、３５）。その後、制御装置６０は、すすぎポンプ２９の運転を開始してから所定時間、例えば１５秒経過後にすすぎポンプ２９の運転を停止し、排水ポンプ４２の運転を開始する（ステップＳ３６、３７）。その後、制御装置６０は、排水ポンプ４２の運転を開始してから所定時間、例えば４５秒経過後に排水ポンプ４２の運転を停止し（ステップＳ３８、３９）、排水運転を終了する。
【００８６】
これにより、洗浄タンク９内の洗浄水を外部に溢出させることなく効率的に排水ポンプ４２を介してシンクなどに排水することができるようになる。特に、本実施例では、排水運転中にすすぎポンプ２９を運転するので、比較的きれいなすすぎ水にて洗浄タンク９内及び排水ポンプ４２や排水ホース４６などの排水経路を洗浄することができるようになり、これら洗浄タンク９内や排水経路を衛生的に維持することができるようになる。
【００８７】
また、上述した如く当該排水運転においても、制御装置６０は、すすぎポンプ２９の運転時間よりも長く排水ポンプ４２を運転するので、すすぎポンプ２９よりも能力の小さいポンプにて排水ポンプ４２を構成した場合であっても、洗浄タンク９内の排水処理を行うことができるようになる。
【００８８】
尚、本実施例において、制御装置６０は、排水運転時における排水ポンプ４２の運転時間を変更可能とする。そのため、洗浄水の汚染の度合いにより変化する排水に必要な時間に応じて、排水ポンプ４２の運転時間を変更することができ、排水ポンプ４２の運転時間中に排水しきれず、洗浄タンク９内に洗浄水が残留する不都合を回避することができるようになる。
【００８９】
また、図１２には示されていないが、排水運転時において、電源スイッチ６がＯＦＦされている状態からＯＮとされた場合には、制御装置６０は、排水ポンプ４２を停止するものとする。これにより、誤って排水運転を実行してしまった場合であっても、排水ポンプ４２の運転を停止することにより、洗浄タンク９内に残留される洗浄水を次回の洗浄運転に使用することができるようになる。
【００９０】
尚、本実施例の食器洗浄機ＤＷでは、上述した如く電源スイッチ６がＯＦＦされた状態であっても、排水ポンプ４２の運転を実行するので、洗浄タンク９内に洗浄水が残留したまま、運転が終了される不都合を回避することができるようになる。
【００９１】
また、本実施例では、電源スイッチ６のＯＮ／ＯＦＦ状態に応じて、スタートスイッチ１１を操作することにより、洗浄運転と排水運転の両者の開始を兼用することができるため、コントロールパネル５の簡素化を図ることができるようになる。
【００９２】
次に、図１３を参照して溢れ防止センサ３５の異常水位検知に基づく排水動作について説明する。制御装置６０は、電源スイッチ６がＯＮの状態、ＯＦＦの状態にかかわらず洗浄タンク９内の洗浄水の水位が上昇し（ステップＳ４１）、溢れ防止センサ３５が異常水位を検知した際には（ステップＳ４２）、ステップＳ４３において、前記警報ブザー６２により作業者に異常状態を報知する。その後、制御装置６０は、排水ポンプ４２を運転し、すすぎポンプ２９及び洗浄ポンプ２７の運転を禁止する（ステップＳ４４）。即ち、すすぎポンプ２９の運転を禁止することにより、洗浄工程への移行をも禁止する。
【００９３】
係る状態において、通常、洗浄タンク９内の洗浄水を全て排出するのに要する時間、本実施例では、２分経過した後、制御装置６０は、排水ポンプ４２の運転を停止し、すすぎポンプ２９と洗浄ポンプ２７の運転禁止を解除する（ステップＳ４５、４６）。その後、制御装置６０は、溢れ防止センサ３５により異常水位の検知を実行し（ステップＳ４７）、溢れ防止センサ３５にて異常水位を検出しない場合にはステップＳ４８に進み、警報を解除する。他方、ステップＳ４７において、溢れ防止センサ３５により異常水位を検出した場合には、再びステップＳ４４に戻り、排水運転を実行する。
【００９４】
これにより、電源スイッチ６のＯＮ状態／ＯＦＦ状態にかかわらず、溢れ防止センサ３５の出力に基づき、制御装置６０は、洗浄タンク９内の水位が所定値より上昇した場合には、排水ポンプ４２を運転するので、洗浄タンク９内の水位が所定値より上昇することを回避することができるようになる。これにより、被洗浄物が洗浄後の水に浸漬される不都合を回避することができ、好適に被洗浄物の洗浄を行うことができるようになる。
【００９５】
また、洗浄機ＤＷが使用されていない場合であっても、電磁開閉弁等の故障により洗浄タンク９内の洗浄水の水位が異常となっても、上述の如く溢れ防止センサ３５により、異常水位を検知し、排水運転を実行することから、水が外部に溢出する不都合を回避することができるようになる。
【００９６】
また、上述した如く、制御装置６０は、排水ポンプ４２を運転している場合、すすぎポンプ２９の運転を禁止するので、すすぎポンプ２９の運転により洗浄タンク９内の水位が上昇することを抑制することができるようになる。
【００９７】
更に、制御装置６０は、すすぎポンプ２９の運転が禁止されている場合、洗浄工程への移行を禁止するので、すすぎポンプ２９が運転されず、被洗浄物のすすぎ工程における仕上げができない状態での洗浄工程の開始を回避することができるようになる。
【００９８】
【発明の効果】
以上詳述した如く本発明によれば、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水ポンプと、各ポンプの運転を制御する制御手段とを備えた洗浄機において、制御手段は、洗浄運転時に洗浄ポンプを運転して洗浄工程を実行し、すすぎポンプを運転してすすぎ工程を実行すると共に、該すすぎポンプの運転に伴って排水ポンプを、すすぎポンプよりも長く運転するので、比較的小型の排水ポンプを用いて洗浄タンク内の排水を行うことができるようになり、コストの削減及び装置自体が大きくなる不都合を回避することができるようになる。
【００９９】
請求項２の発明によれば、上記において、制御手段は、すすぎ工程においてすすぎポンプの運転開始より遅延して排水ポンプの運転を開始するので、排水ポンプが空気を吸い込み、正常に運転できなくなる不都合を回避することができるようになる。
【０１００】
請求項３の発明によれば、上記各発明において、すすぎポンプの運転時間は可変とされており、制御手段は、当該すすぎポンプの運転時間に応じて排水ポンプの運転時間を変更するので、被洗浄物の状態に応じてすすぎ時間を変更することができるようになり、利便性が向上する。また、すすぎポンプの運転時間に応じて排水ポンプの運転時間が変更されるため、運転時間変更時における設定作業の簡素化を図ることができると共に、排水ポンプの運転時間の変更忘れによる水の漏洩を防止することができるようになる。
【０１０１】
請求項４の発明によれば、上記各発明において、制御手段は、排水ポンプのみが運転されている状態において、洗浄工程が開始された場合には、当該排水ポンプを停止するので、洗浄工程において洗浄ポンプが運転されることにより洗浄タンク内の水位が変化し、これにより、排水ポンプが空運転を生じることを未然に回避することができるようになる。これにより、排水ポンプの故障の発生及び短命化を抑制することができるようになる。
【０１０２】
請求項５の発明によれば、上記各発明において、制御手段は、すすぎポンプを運転して洗浄タンク内に給湯する給湯運転を所定回数実行すると共に、該給湯運転中に排水ポンプを運転するので、洗浄タンク内に貯溜されるすすぎ水が洗浄タンクから漏出し、漏出し、外部にまで溢れることを抑制することができるようになる。
【０１０３】
請求項６の発明によれば、上記において、制御手段は、給湯運転を実行する回数が終了する所定回数前から排水ポンプを運転するので、給湯運転により洗浄タンク内に洗浄水が予め定められた基準水位まで貯溜されている状態での排水ポンプの運転を禁止すると共に、当該基準水位を超えた洗浄水を排水ポンプにて外部に排水することができるようになる。これにより、基準水位まで給湯運転を行っている場合に、排水ポンプを停止することができ、当該排水ポンプの空運転を抑制することができるようになる。また、基準水位を超える分の洗浄水は、排水ポンプが運転されることにより、円滑に排水を実行することができるようになる。
【０１０４】
請求項７の発明によれば、上記において、制御手段は、最終回の給湯運転終了後の所定時間排水ポンプの運転を継続すると共に、当該排水ポンプの運転終了後に洗浄ポンプを運転するので、排水ポンプの運転中に洗浄ポンプの運転が開始されることにより、洗浄タンク内の水位が変動し、排水ポンプが空運転を生じる不都合を回避することができるようになる。
【０１０５】
請求項８の発明によれば、上記各発明において、洗浄タンク内の洗浄水の溢出を防止するための溢れ防止センサを備え、制御手段は、溢れ防止センサの出力に基づき、洗浄タンク内の水位が所定値より上昇した場合には、排水ポンプを運転するので、洗浄タンク内の水位が所定値より上昇することを回避することができるようになる。これにより、被洗浄物が洗浄後の水に浸漬される不都合を回避することができ、好適に被洗浄物の洗浄を行うことができるようになる。
【０１０６】
請求項９の発明によれば、上記において、制御手段は、排水ポンプを運転している場合、すすぎポンプの運転を禁止するので、すすぎポンプの運転により洗浄タンク内の水位が上昇することを抑制することができるようになる。
【０１０７】
請求項１０の発明によれば、上記において、制御手段は、すすぎポンプの運転が禁止されている場合、洗浄工程への移行を禁止するので、すすぎポンプが運転されず、被洗浄物のすすぎ工程における仕上げができない状態での洗浄工程の開始を回避することができるようになる。
【０１０８】
請求項１１の発明によれば、請求項８、請求項９又は請求項１０の発明において、制御手段は電源スイッチを備え、溢れ防止センサの出力に基づき、洗浄タンク内の水位が所定値より上昇した場合には、電源スイッチがＯＦＦされている場合にも、排水ポンプを運転するので、電源スイッチがＯＦＦの状態であっても、洗浄タンク内の水が異常水位に達した場合に排水ポンプを運転することができ、洗浄機を使用していない場合においても、水が外部に溢出する不都合を回避することができるようになる。
【０１０９】
請求項１２の発明によれば、上記各発明において、制御手段は、排水ポンプを運転して洗浄タンク内の洗浄水を排出する排水運転を実行すると共に、当該排水ポンプの運転時間は可変とされているので、洗浄水の汚染の度合いにより変化する排水に必要な時間に応じて、排水ポンプの運転時間を変更することができ、排水ポンプの運転時間中に排水しきれず、洗浄タンク内に洗浄水が残留する不都合を回避することができるようになる。
【０１１０】
請求項１３の発明によれば、上記発明において、制御手段は、排水運転中にすすぎポンプを運転するので、比較的きれいなすすぎ水にて洗浄タンク内や排水経路を洗浄することができるようになり、これら洗浄タンク内や排水経路を衛生的に維持することができるようになる。
【０１１１】
請求項１４の発明によれば、上記発明において、制御手段は、排水運転の開始から排水ポンプを運転した後、当該排水ポンプを停止して所定時間すすぎポンプを運転すると共に、当該すすぎポンプの停止後、該すすぎポンプの運転時間よりも長く再度排水ポンプを運転するので、すすぎポンプよりも能力の小さいポンプにて排水ポンプを構成した場合であっても、洗浄タンク内の洗浄水の排水処理を行うことができるようになる。
【０１１２】
請求項１５の発明によれば、請求項１２、請求項１３又は請求項１４の発明において、制御手段は電源スイッチを備え、当該電源スイッチがＯＦＦされても排水ポンプの運転を実行するので、洗浄タンク内に洗浄水が残留したまま、運転が終了される不都合を回避することができるようになる。
【０１１３】
請求項１６の発明によれば、上記発明において、制御手段は、電源スイッチがＯＦＦされている状態からＯＮされた場合には、排水ポンプを停止するので、誤って排水運転を実行してしまった場合であっても、排水ポンプ４２の運転を停止することにより、洗浄タンク９内に残留される洗浄水を次回の洗浄運転に使用することができるようになる。
【図面の簡単な説明】
【図１】本発明の食器洗浄機の正面図である。
【図２】食器洗浄機の一部透視側面図である。
【図３】食器洗浄機の縦断側面図である。
【図４】食器洗浄機の平面図である。
【図５】センサカバー部材の斜視図である。
【図６】排水ポンプフィルタセットを洗浄タンクに取り付けた状態の断面図である。
【図７】排水ポンプフィルタセットを洗浄タンクから脱着する状態の断面図である。
【図８】全排水時における排水ポンプフィルタセットの断面図である。
【図９】制御装置の電気ブロック図である。
【図１０】給湯運転のフローチャート図である。
【図１１】洗浄運転のフローチャート図である。
【図１２】排水運転のフローチャート図である。
【図１３】溢れ防止センサにより異常水位を検出した際のフローチャート図である。
【符号の説明】
ＤＷ  食器洗浄機
１  本体
２  洗浄室
５  コントロールパネル
６  電源スイッチ
９  洗浄タンク
１１  スタートスイッチ
２０、２２  洗浄ノズル
２１、２３  すすぎノズル
２５  すすぎタンク
２７  洗浄ポンプ
２９  すすぎポンプ
３５  溢れ防止センサ
４２  排水ポンプ
６０  制御装置
６２  警報ブザー
【図１】
2004298347.tif 000003
【図２】
2004298347.tif 000004
【図３】
2004298347.tif 000005
【図４】
2004298347.tif 000006
【図５】
2004298347.tif 000007
【図６】
2004298347.tif 000008
【図７】
2004298347.tif 000009
【図８】
2004298347.tif 000010
【図９】
2004298347.tif 000011
【図１０】
2004298347.tif 000012
【図１１】
2004298347.tif 000013
【図１２】
2004298347.tif 000014
【図１３】
2004298347.tif 000015